(57)【要約】【課題】ディスクスリップトルクやディスク抜去力を強くしながら、チャッキングの感触を良好なものとする。【解決手段】スピンドルモータの回転軸１０を嵌合したロータヨーク６のボス部６ａにディスクホルダ２０が嵌着されており、ディスクホルダ周縁部２０には所定間隔を有してスプリング１４にて外方へ付勢される爪部１３が放射状に配設され、ディスクを該ディスクホルダ２０に嵌着したとき、これら爪部１３によってディスクが保持できるように構成されている。爪部１３は、先端に向かって傾斜する傾斜面１３ａを有し、外方へ付勢された状態のときにこの傾斜面１３ａに接するように押圧支持部３０が設けられている。爪部１３が押し下げられると、傾斜面１３ａに押圧支持部３０が突き当たる。このとき傾斜面１３ａによって爪部１３には内方に向かう力が加わり、コイルスプリング１４のバネ力が強くても速やかに押し込まれる。【選択図】  図４
2004296015.tif 000002
【特許請求の範囲】
【請求項１】
スピンドルモータの回転軸を嵌合したロータヨークのボス部にディスクホルダが嵌着されており、該ディスクホルダ周縁部には所定間隔を有してスプリングにて外方へ付勢される爪部が放射状に配設され、ディスクを該ディスクホルダに嵌着したとき、前記爪部によって該ディスクが保持できるように構成されてなるディスク保持機構を有し、
前記爪部は、先端に向かって傾斜する傾斜面を有し、外方へ付勢された状態のときに前記傾斜面に接するように押圧支持部が設けられていることを特徴とするディスクチャッキング機構。
【請求項２】
前記押圧支持部の爪部と接する面が傾斜面とされていることを特徴とする請求項１記載のディスクチャッキング機構。
【請求項３】
前記傾斜面は、曲面を呈していることを特徴とする請求項２記載のディスクチャッキング機構。
【請求項４】
前記押圧支持部は、前記ディスクホルダに一体的に形成されていることを特徴とする請求項１記載のディスクチャッキング機構。
【発明の詳細な説明】
【０００１】
【発明の属する技術分野】
本発明は、ディスクチャッキング機構に関するものであり、特に、スピンドルモータによって回転するディスクを保持するためのディスクチャッキング機構に関するものである。
【０００２】
【従来の技術】
従来のディスクチャッキング機構を図１０に従って説明する。
【０００３】
図６及び図７において、１はスピンドルモータであり、そのフレーム２の上面に回路基板３が配設されるとともに、中央に軸受ハウジング４が立設され、該軸受ハウジング４に軸受５が嵌着されている。
【０００４】
また、該スピンドルモータ１のロータヨーク６は図７に示すように、浅い逆凹字形に形成され、中心部に円筒状のボス部６ａが立設されている。該ロータヨーク６の外周内側面には円環状のロータマグネット７が嵌着され、更に、該ロータマグネット７の内側に放射状に配設されたコア８，８・・・を夫々巻回したコイル９，９・・・が配設されている。そこで、上記回路基板３上に形成されたコイル９，９・・・に駆動電流を流すと、その周りに磁界が生じ、これがロータマグネット７に作用することによりスピンドルモータ１が駆動し、ディスクホルダ１１及び該ディスクホルダ１１に嵌合されるディスクが時計廻りに回転することになる。
【０００５】
そこで、前記軸受５にはスピンドルモータ１の回転軸１０が回転自在に軸着され、そして、該回転軸１０を前記ロータヨーク６に突設したボス部６ａの孔部６ｂに嵌合して、該ロータヨーク６と該回転軸１０とが一体的に回転できるように構成されている。
【０００６】
さらにまた、前記ロータヨーク６のボス部６ａの外周面にはディスクホルダ１１の中心部に開穿された嵌合孔１２が嵌合される。該ディスクホルダ１１は図９に示すように、その中心部に前記嵌合孔１２が開穿され、該嵌合孔１２を形成する円筒状の孔壁部１２ａが下方へ突設されて前記ロータヨーク６のボス部６ａに該嵌合孔１２が嵌着できるように構成されている。
【０００７】
さらに、該ディスクホルダ１１は、該孔壁部１２ａを除き略ハット状に形成され、そして、図８に示すように略正三角形の頂点位置であって、且つ、該ディスクホルダ１１の周縁部を該ディスクホルダ１１の下端部を囲繞する如く形成された鍔部１１ａの周縁部を除き切開孔１１ｂ，１１ｂ，１１ｂを開穿し、該切開孔１１ｂ，１１ｂ，１１ｂの夫々の中心部に前記鍔部１１ａから支持片１１ｃ，１１ｃ，１１ｃを内側に向って突設すると共に、該支持片１１ｃ，１１ｃ，１１ｃに対峙する位置であって、前記孔壁部１２ａの外側面略中央部に突部１２ｂ，１２ｂ，１２ｂを突設し、該突部１２ｂ，１２ｂ，１２ｂと前記切開孔１１ｂ，１１ｂ，１１ｂ部位に配設される爪部１３，１３，１３との間にコイルスプリング１４，１４，１４を介装して該コイルスプリング１４，１４，１４によって該爪部１３，１３，１３を夫々外方へ付勢すると共に、該爪部１３，１３，１３は該ディスクホルダ１１から離脱しないようにストッパー（図示せず）によって規制されている。尚、図中符号１５は前記突部１２ｂ，１２ｂ，１２ｂの上面に設けられた開穿孔を示す。
【０００８】
【発明が解決しようとする課題】
上記従来例では、ディスクホルダ１１の周縁部にコイルスプリング１４，１４，１４によって外方へ付勢された爪部１３，１３，１３によって、該ディスクホルダ１１の孔壁部１２ａに嵌合されるディスク１６を該ディスクホルダ１１に保持するように構成されている。即ち、該ディスクホルダ１１の孔壁部１２ａに嵌合されたディスク１６は前記放射状に配設された夫々の爪部１３，１３，１３の押圧方向へ移動する。
【０００９】
このとき、コイルスプリング１４，１４，１４のバネ圧を強くすれば、ディスクスリップトルクやディスク抜去力を強くすることができる。ただし、その場合には、ディスクをチャッキングする際に相当のディスク挿入力が必要となり、チャッキングの感触を悪くするという欠点がある。
【００１０】
本発明は、このような実情に鑑みて提案されたものであり、ディスクスリップトルクやディスク抜去力を強くしながら、チャッキングの感触を良好なものとすることが可能なディスクチャッキング機構を提供することを目的とする。
【００１１】
【課題を解決するための手段】
上述の目的を達成するために、本発明のディスクチャッキング機構は、スピンドルモータの回転軸を嵌合したロータヨークのボス部にディスクホルダが嵌着されており、該ディスクホルダ周縁部には所定間隔を有してスプリングにて外方へ付勢される爪部が放射状に配設され、ディスクを該ディスクホルダに嵌着したとき、前記爪部によって該ディスクが保持できるように構成されてなるディスク保持機構を有し、前記爪部は、先端に向かって傾斜する傾斜面を有し、外方へ付勢された状態のときに前記傾斜面に接するように押圧支持部が設けられていることを特徴とするものである。
【００１２】
本発明のディスクチャッキング機構においては、コイルスプリングによって外方へ付勢された爪部によって、該ディスクホルダの孔壁部に嵌合されるディスクを該ディスクホルダに保持する。ここで、ディスク装着時には、爪部が押し下げられ、先端に向かって傾斜する傾斜面が押圧支持部と突き当たる。ここで傾斜面に押圧支持部が突き当たるので、当該傾斜面によって爪部には内方に向かう力が加わり、速やかに前記コイルスプリングのバネ力に抗して押し込まれる。したがって、コイルスプリングのバネ圧を強くしても、僅かな挿入力でディスクをチャッキングさせることができ、チャッキングの感触が改善される。
【００１３】
【発明の実施の形態】
以下、本発明を適用したディスクチャッキング機構について、図面を参照しながら詳細に説明する。なお、説明の都合上、従来例と同一構成部分は同一の符号を付してその説明を省略するものとする。
【００１４】
本実施形態のディスクチャッキング機構においても、図１及び図２に示すように、スピンドルモータ１の回転軸１０の上端部に嵌合されて該回転軸１０と一体的に回転するロータヨーク６には、その中心部に該回転軸１０に嵌合する孔部６ｂを設けたボス部６ａが突設されており、該ボス部６ａの外周側面にディスクホルダ２０の中心部に開穿した嵌合孔２１が嵌合されて該ディスクホルダ２０を前記回転軸１０の回転に同調して一体的に回転できるように構成されている。
【００１５】
そして、ディスクホルダ２０は、  図４（ａ）及び図４（ｂ）に示すように、その中心部に前記嵌合孔２１が開穿され、該嵌合孔２１を形成する円筒状の孔壁部２１ａが下方へ突設され、ロータヨーク６のボス部６ａに該嵌合孔２１が嵌着できるように構成されている。
【００１６】
また、ディスクホルダ２０の前記孔壁部２１ａの外側面の下部であって、且つ、正三角形の頂点に設けられている爪部１３，１３，１３の中間部に該孔壁部２１ａから外方へアーム２２，２２，２２を略水平に突設し、そして、該アーム２２，２２，２２の夫々の先端部に舌片２３，２３，２３を設けている。舌片２３，２３，２３の先端面はすべて該孔壁部２１ａの外側面より僅かに外方へ突出しており、且つ、同一円周上に設けられ、そして、図５に示すように該孔壁部２１ａの外側面に嵌合されるディスク２４が偏心しないようにこれら舌片２３，２３，２３によって調芯できるように構成されている。
【００１７】
すなわち、ディスクホルダ２０の孔壁部２１ａに嵌合したディスク２４は、背面からコイルスプリング１４，１４，１４の付勢によって外側へ押圧されている爪部１３，１３，１３によってディスクホルダ２０に保持されるとともに、舌片２３，２３，２３によって調芯される。ここで、これら舌片２３，２３，２３は前記爪部１３，１３，１３の中間であって、且つ、各爪部１３，１３，１３と対峙する反対側に設けられているので、爪部１３，１３，１３及び舌片２３，２３，２３は交互に中心から放射状に配設されることになり、これにより前述のディスク２４の保持と調芯が極めて効率良く、且つ、円滑に実行することができる。
【００１８】
このようなディスクチャッキング機構において、爪部１３，１３，１３は、図４（ａ）に示すように、その下側の面が、いずれも先端に向かって傾斜する傾斜面１３ａ、ここでは曲面を呈する傾斜面１３ａとされている。そして、この傾斜面１３ａに突き当たるように、ディスクホルダ２０の鍔部１１ａと一体に、押圧支持部３０が形成されている。
【００１９】
前記押圧支持部３０は、前記鍔部１１ａの内周側位置において、上方に立ち上がる突起として形成されており、その先端面は、前記爪部１３の傾斜面１３ａに合わせて、やはり傾斜面３０ａとされている。また、この押圧支持部３０は、ディスクホルダ２０に装着されるディスク２４の内周孔のぎりぎりの位置に形成され、前記爪部１３が外方に付勢され突出した状態のときに、その傾斜面１３ａと対向する位置に形成されている。この押圧支持部３０が、より内周側に形成されて爪部１３の平坦な底面に突き当たる状態になると、爪部１３を円滑に後退させることができない。
【００２０】
このような構造を採用した場合、ディスク装着時には、爪部１３，１３，１３が押し下げられ、先端に向かって傾斜する傾斜面１３ａ，１３ａ，１３ａが押圧支持部３０，３０，３０と突き当たる。ここで、互いに傾斜する傾斜面１３ａ，１３ａ，１３ａ及び傾斜面３０ａ，３０ａ，３０ａ同士が接するように押圧支持部３０，３０，３０が爪部１３，１３，１３に対して突き当たるので、当該傾斜面１３ａ，１３ａ，１３ａ及び傾斜面３０ａ，３０ａ，３０ａによって爪部１３，１３，１３には内方に向かう力が加わり、コイルスプリング１４，１４，１４のバネ力が強くても速やかに前記コイルスプリング１４，１４，１４のバネ力に抗して押し込まれる。したがって、コイルスプリング１４，１４，１４のバネ圧を強くしても、僅かな挿入力でディスクをチャッキングさせることができ、チャッキングの感触が改善される。
【００２１】
【発明の効果】
以上、詳細に説明したように、本発明のディスクチャッキング機構によれば、ディスクスリップトルクやディスク抜去力を強くしながら、チャッキングの感触を良好なものとすることが可能である。
【図面の簡単な説明】
【図１】回路基板上に配設されたスピンドルモータの概略平面図である。
【図２】図１のＡ−Ａ線における断面図である。
【図３】ディスクホルダの平面図である。
【図４】（ａ）はディスクホルダの断面図であり、（ｂ）は爪部等を取り外した状態のディスクホルダの平面図である。
【図５】ディスク装着状態を示す概略平面図である。
【図６】従来例を示すものであり、回路基板上に配設されたスピンドルモータの概略平面図である。
【図７】図６のＣ−Ｃ線における断面図である。
【図８】従来例のディスクホルダの平面図である。
【図９】図８のＤ−Ｄ線における断面図である。
【図１０】従来のディスクホルダにディスクを装着した状態を示す概略平面図である。
【符号の説明】
１        スピンドルモータ
６        ロータヨーク
１０      回転軸
１３      爪部
１３ａ    傾斜面
１４      コイルスプリング
２０      ディスクホルダ
２１      嵌合孔
２３      舌片
２４      ディスク
３０      押圧支持部
３０ａ    傾斜面
【図１】
2004296015.tif 000003
【図２】
2004296015.tif 000004
【図３】
2004296015.tif 000005
【図４】
2004296015.tif 000006
【図５】
2004296015.tif 000007
【図６】
2004296015.tif 000008
【図７】
2004296015.tif 000009
【図８】
2004296015.tif 000010
【図９】
2004296015.tif 000011
【図１０】
2004296015.tif 000012